(57)【要約】【課題】  極力眼前に目障りな異物を存在させないで、目、鼻及び口を花粉や塵から保護すること。【解決手段】  サンバイザ（頭部装着部材）１の鍔部１ａに配した空気膜形成部２と、空気膜形成部２に連通する２本のビニールチューブ（送気管）３、３と、ビニールチューブ３、３を通じて空気膜形成部２に空気を送り込む二つの送風部（送風手段）４、４とで構成する。空気膜形成部２は、２本の部分円弧状の支分管２ａ、２ａを中央で接続して構成し、それぞれには定間隔で複数の噴口を開口形成する。サンバイザ１を頭部に装着して送風部４、４を動作開始させると、これから供給された圧縮空気が空気膜形成部２の噴口から噴出して目、鼻、口の直前にエアカーテンを形成して、周囲の大気中の花粉等の進入を防止する。【選択図】  図１
0003110496.tif 000002
【実用新案登録請求の範囲】
【請求項１】
頭部装着部材に構成した空気膜形成部であって、少なくとも両眼及び鼻部を大気中の花粉及び粉塵から遮蔽すべくその前面にエアカーテンを形成するための空気膜形成部と、該空気膜形成部に連通する送気管と、該送気管を通じて該空気膜形成部に空気を送り込む送風手段とで構成した花粉等遮蔽具。
【請求項２】
前記頭部装着部材が、帽子、サンバイザ又は眼鏡のいずれかである請求項１の花粉等遮蔽具。
【請求項３】
前記空気膜形成部が、前記頭部装着部材に配したパイプ体と、これに連設した複数の噴口とで構成された請求項１の花粉等遮蔽具。
【考案の詳細な説明】
【技術分野】
【０００１】
本考案は、人の目や鼻に花粉や粉塵が付着するのを防止して花粉症の予防をするための花粉等遮蔽具に関する。
【背景技術】
【０００２】
このような花粉が人の目や鼻に付着するのを防止して花粉症の発症を抑えようとする器具としては、マスクが最も一般的である。マスクに関しては特許文献１がある。これは、既存のマスクが概ねガーゼ粗布で作成されたものであって、花粉や塵の吸い込みを防止することが困難な点を改良し、特定の範囲のカバーファクターの織物又は編物を表層に配する構成とした点に特徴を有する。そしてこのような織物や編物を該部位に採用することによって花粉や粉塵の吸い込み防止に一定の効果が得られることは認められる。しかしそれは口及び鼻の範囲に限られ、同様に重要な目に関しては、当然、何らの効果もない。
【０００３】
目に着目してこれに花粉や埃が付着するのを防止する技術には眼鏡又は眼鏡の附属品が提案されている。特許文献２はその内、眼鏡に関するものであり、眼鏡枠に、該眼鏡を頭部に装着した際に、顔面と密着できる形状に透明な保護カバーを取り付けた保護眼鏡である。
【０００４】
この保護眼鏡は、これを装着すれば、眼鏡のレンズ部分とその周囲の眼鏡枠に配した保護カバーによって、目の前に花粉等が進入することが防止され、その結果、目にこれらの花粉等が付着することが防止できることは理解できる。しかしこの効果は目に限定され、云うまでもなく、口や鼻への付着には意味をなさず、花粉症の予防には十分な効果を得ることができない。
【０００５】
特許文献３は眼鏡カバーであり、頭部に装着した眼鏡と顔との間に配して花粉が目の中に進入するのを防止しようとするものである。眼鏡と別体に構成されている点が異なるが実質的には特許文献１と同様の内容のものであり、同様の問題点がある。
【０００６】
更に以上の特許文献１、２及び３の技術によれば、眼前に目障りなものが存在することとなる問題点もある。
【０００７】
【特許文献１】特開２００４−１５４２０９号公報
【特許文献２】特開２００４−３４１１２４号公報
【特許文献３】特開平０９−１４６０５４号公報
【考案の開示】
【考案が解決しようとする課題】
【０００８】
本考案は、以上に述べた従来技術の問題点を解決し、花粉症の予防にとって重要な目、鼻及び口を同時に花粉や塵から保護し得、極力眼前に目障りなものが存在しないようにすることができる花粉等遮蔽具を提供することを解決の課題とする。
【課題を解決するための手段】
【０００９】
本考案の１は、頭部装着部材に構成した空気膜形成部であって、少なくとも両眼及び鼻部を大気中の花粉及び粉塵から遮蔽すべくその前面にエアカーテンを形成するための空気膜形成部と、該空気膜形成部に連通する送気管と、該送気管を通じて該空気膜形成部に空気を送り込む送風手段とで構成した花粉等遮蔽具である。
【００１０】
本発明の２は、本発明の１の花粉等遮蔽具に於いて、前記頭部装着部材として、帽子、サンバイザ又は眼鏡のいずれかを採用したものである。
【００１１】
本発明の３は、本発明の１の花粉等遮蔽具に於いて、前記空気膜形成部を、前記頭部装着部材に配したパイプ体と、これに連設した複数の噴口とで構成したものである。
【考案の効果】
【００１２】
本考案の１の花粉等遮蔽具によれば、これを頭部に装着して前記送風手段を動作させると、空気膜形成部から空気が噴出され、目、鼻及び口の直前にこれらの前面を遮蔽する状態にエアカーテンが形成される。そのため周囲の大気中に浮遊する花粉や粉塵等は該エアカーテンで遮断され、目や鼻等の周囲に進入することが防止され、これらが付着することによる花粉症の発症を防止することができることになる。
【００１３】
またこの花粉等の進入の防止は、エアカーテンによって行うものであるため、眼前に目障りな異物を存在させる必要がない。
【００１４】
本考案の２の花粉等遮蔽具によれば、前記頭部装着部材として、帽子、サンバイザ又は眼鏡を採用するものであるため、利用場所に応じて選択して使用することにより、その使用自体を違和感のないものとすることができる。例えば、室外での使用には帽子又はサンバイザを利用したものが適当であり、室内及び室外のいずれでも眼鏡を利用したものは違和感なく使用できる。
【００１５】
本考案の３の花粉等遮蔽具によれば、前記空気膜形成部をパイプ体とこれに連設した複数の噴口で構成したため、その構成が簡明であり、安価に構成できる。
【考案を実施するための最良の形態】
【００１６】
本考案の花粉等遮蔽具は、基本的に、頭部装着部材に構成した空気膜形成部と、該空気膜形成部に連通する送気管と、該送気管を通じて該空気膜形成部に空気を送り込む送風手段とで構成したものである。
【００１７】
前記頭部装着部材は、頭部に何らかの理由で装着することのある種々の部材であって、前記空気膜形成部を目の上部付近に取付可能なあらゆる部材を採用可能である。例えば、帽子、サンバイザ又は眼鏡等である。該帽子は特定のそれに限定されないが、野球帽その他の鍔のあるそれが空気膜形成部を目の上方に空気膜形成部を取り付ける関係上適当である。
【００１８】
前記空気膜形成部は、顔の前に、特に、目、鼻及び口の前に、これらから若干の間隔をあけてこれらを覆うようにエアカーテンを形成する手段であり、そのような機能を発揮する種々の構成を自由に採用することができる。例えば、前記頭部装着部材に配したパイプ体と、これに連設した複数の噴口とで構成することができる。噴口は該パイプ体に複数のそれから噴出する空気でエアカーテンが形成可能な間隔で連設開口する。該噴口の向きは該パイプ体の軸心に対して直角に形成するか、或いは、隣接する他の噴口側に若干傾けて形成するのが好ましい。傾ける場合は、一連の噴口は、側面から見て、順次、右傾斜、左傾斜を繰り返すような配列が適当である。
【００１９】
該パイプ体は、該頭部装着部材の構成部材の内、これを頭部に装着した場合に、目の直上又は眼前付近に位置することとなる部材にこれを設置し、またはその一部をパイプ体に構成して、それを利用する。前記のように、頭部装着部材が帽子又はサンバイザである場合は、該パイプ体は、その鍔の下面側に取り付ける。この場合は、該パイプ体は、当然、顔の前面にエアカーテンを形成しうるように、前記噴口が下部に位置するように配する。頭部装着部材が眼鏡である場合は、そのフレームをパイプ体に構成してこれを利用する。この場合は、噴口はフレームであるパイプに放射方向を向くように開口形成する。
【００２０】
前記送気管は、前記のように、前記頭部装着部材に配した空気膜形成部と前記送風手段とを連通する手段であり、後者から圧縮空気を供給する供給路である。後述するように、送風手段は、相応のサイズになり、使用時に、例えば、衣類の胸ポケットや腰のベルト等に配するとすれば、前記送気管は、その部位から頭部装着部材に配した空気膜形成部まで届く十分な長さのフレキシブルな管である必要がある。例えば、この送気管としては、フレキシブルなプラスチックチューブ等を採用することができる。
【００２１】
前記送風手段は、前記空気膜形成部から噴出する圧縮空気によって顔の前面にエアカーテンを形成しうる風量及び圧力の圧縮空気を形成できる小型の手段であればその具体的な構成は自由である。複数のそれによって必要な風量等を確保するように構成しても良い。人の身体に装着して使用するものであり、電池で駆動できるものであることが好ましい。具体的には、例えば、ファンと電動モータとからなるブロワと、電池ケースとを一体にした箱形に構成し、これに腰のベルトへの係止手段を構成し、ベルトに取り付けて使用したり、ポケットに収納して使用したりできるようにするのが好ましい。
【００２２】
従って本考案の花粉等遮蔽具によれば、その頭部装着部材を頭部に装着して腰のベルト等に配した前記送風手段を動作させると、これから圧縮空気が前記空気膜形成部に送給され、後者から空気が噴出され、顔の目、鼻及び口の直前にこれらの全面を遮蔽する状態にエアカーテンが形成される。そのため周囲の大気中に浮遊することのある花粉や粉塵等は該エアカーテンで遮断され、目や鼻等の周囲に進入することが防止され、これらが目等に付着することによる花粉症の発症をできる限り防止することができることになる。
【００２３】
以上のように、花粉等の進入の防止は、エアカーテンによって行うものであるため、眼前に目障りな異物を存在させる必要がない。
【００２４】
また本考案は、前記頭部装着部材として、帽子、サンバイザ又は眼鏡等を採用するものであるため、使用場所に応じてこれらを選択すれば、その使用自体が違和感なく行いうるものとなる。例えば、屋外での使用には、帽子又はサンバイザを利用したものが適当であり、室内及び室外のいずれでも眼鏡を利用したものは違和感がない。
【００２５】
また本考案の花粉遮蔽具は、その全体の構成が簡明であり、安価に構成できるものである。
【実施例１】
【００２６】
この実施例１の花粉等遮蔽具は、図１(a)、(b)に示すように、基本的に、サンバイザ（頭部装着部材）１の鍔部１ａに配した空気膜形成部２と、該空気膜形成部２に連通する２本のビニールチューブ（送気管）３、３と、該ビニールチューブ３、３を通じて該空気膜形成部２に空気を送り込む二つの送風部（送風手段）４、４とで構成したものである。
【００２７】
前記サンバイザ１は、一般に利用されるそれであり、図１(a)及び図２(a)に示すように、鍔部１ａと、その内縁から立ち上がる頭周部１ｂとからなり、全体を不透明の弾性プラスチックで構成したものである。
【００２８】
前記空気膜形成部２は、図１(a)、図２(a)、(b)に示すように、２本の部分円弧状の支分管２ａ、２ａを中央で接続して構成したものであり、それぞれには定間隔で複数の噴口ｈ、ｈ…が開口形成してある。この空気膜形成部２は、同図に示すように、この実施例１では、前記サンバイザ１の鍔部１ａの下面側に接着剤で固定したものである。
【００２９】
該空気膜形成部２の両支分管２ａ、２ａは、特に図２(b)に示すように、中央の連結柱２ｂに両側から外装嵌合して結合したものであり、両者は連通していない。またそれぞれに形成する噴口ｈ、ｈ…は、特に図３(a)に示すように、隣接する相互のそれが、その配列方向に常に逆向きに傾いた状態に開口したものとする。具体的には、それぞれ垂直方向に対して前記いずれかの方向に２５度ずつ傾斜させたものとする。
【００３０】
前記ビニールチューブ３、３は、前記したように、前記空気膜形成部２が二つの支分管２ａ、２ａで構成され、それぞれが独立したものであるため、図１(a)に示すように、それぞれの外端に、各々の一端を接続し、各々の他端をそれぞれ対応する送風部４、４の空気吐出口に接続する。該各ビニールチューブ３、３は人の頭部から腰部までの標準的な長さを若干越える程度の長さとする。
【００３１】
前記送風部４、４は、各々電池で駆動できる電動モータ及びファンからなるブロワと、電池ケースとを内蔵した箱形の部材であり、図１(a)、(b)に示すように、その裏面側中央上部にズボンのベルト等に係止するための係止片４ａを備え、更に裏面側の下部一側よりの位置に前記電動モータをオンオフする電源スイッチ４ｂを備えたものである。なおこの送風部４、４を構成する箱体は、表面側が蓋部となっており、これを開けて、電池の交換等が行えるようになっている。
【００３２】
従ってこの実施例１の花粉等遮蔽具によれば、これを使用する場合は、図３(b)に示すように、前記サンバイザ１を頭部に装着し、前記送風部４、４をその係止片４ａを利用してズボンのベルト等に係止し、或いはポケット等に入れ、その電源スイッチ４ｂをそれぞれオンとすれば良い。電源の投入操作は、それより先に行っても後で行っても良いことは云うまでもない。
【００３３】
こうして電源が投入されると、各送風部４、４のブロワが動作を開始し、ここで生成された圧縮空気はそれぞれ前記ビニールチューブ３、３を通じて前記空気膜形成部２の各対応する支分管２ａ、２ａに供給される。該支分管２ａ、２ａに供給された圧縮空気は、それぞれに形成されている噴口ｈ、ｈ…を通じて大気中に噴出され、図３(a)、(b)に示すように、その配置との関係から、顔の全面を覆うようにエアカーテンを形成する。
【００３４】
前記噴口ｈ、ｈ…の向きを、前記のように、一定の面内で、交互に反対側に傾くように構成したため、図３(a)に示すように、噴出する空気が相互に交差し合い、生成されるエアカーテンの密度が全体として均一になりやすくなる。もっとも噴口ｈ、ｈ…を前記空気膜形成部２の両支分管２ａ、２ａの軸方向に対して直角に形成した場合も、十分な密度のエアカーテンが形成されるものでもある。
【００３５】
こうして顔の目、鼻及び口の直前にこれらの全面を遮蔽する状態にエアカーテンが形成されるため、周囲の大気中に浮遊することのある花粉や粉塵等は該エアカーテンで遮断され、これらが目等に付着することによる花粉症の発症をできる限り防止することができることになる。
【００３６】
以上のように、この実施例１の花粉等遮蔽具による花粉等の進入の防止は、エアカーテンによるものであるため、眼前に目障りな異物が存在しない。
【００３７】
またこの実施例１の花粉等遮蔽具は、サンバイザ１を利用するものであるため、特に屋外での使用は違和感なく行いうるものとなる。
【実施例２】
【００３８】
この実施例２の花粉等遮蔽具は、図４に示すように、基本的に、眼鏡（頭部装着部材）１１のフレームに構成した空気膜形成部１２、１２と、該空気膜形成部１２、１２に連通する２本のビニールチューブ（送気管）１３、１３と、該ビニールチューブ１３、１３を通じて該空気膜形成部１２、１２に空気を送り込む二つの送風部（送風手段）１４、１４とで構成したものである。
【００３９】
前記眼鏡１１は、基本形状は、図４に示すように、一般のそれと同様であるが、レンズ１１ａ、１１ａを保持する各フレームをパイプ状に構成し、これらを、それぞれに放射方向に向けて定間隔で複数の噴口ｈ、ｈ…を形成して空気膜形成部１２、１２に構成したものである。なお各空気膜形成部１２、１２を構成するフレームの側部にはそれぞれ連結部を構成し、それぞれに前記ビニールチューブ１３、１３が接続してある。
【００４０】
前記ビニールチューブ１３、１３は前記実施例１のそれと全く同様の部材である。
また前記送風部１４、１４は、も実施例１のそれと全く同様の部材である。
【００４１】
従ってこの実施例２の花粉等遮蔽具によれば、これを使用する場合は、通常の眼鏡を掛けるのと同様に眼鏡１１を掛け、前記送風部１４、１４を前記実施例１のそれと同様にズボンのベルト等に係止し、その電源スイッチ１４ｂをそれぞれオンとすれば良い。
【００４２】
こうして電源が投入されると、各送風部１４、１４で生成された圧縮空気はそれぞれ前記ビニールチューブ１３、１３を通じて前記眼鏡１１に構成した各空気膜形成部１２、１２に供給される。該空気膜形成部１２、１２に供給された圧縮空気は、それぞれに形成されている噴口ｈ、ｈ…を通じて大気中に噴出され、該眼鏡１１を中心としてその周囲に放射状にエアカーテンが形成され、顔の全面を覆うようになる。
【００４３】
こうして顔の目、鼻及び口の直前にこれらの全面を遮蔽する状態にエアカーテンが形成されるため、周囲の大気中に浮遊することのある花粉や粉塵等は該エアカーテンで遮断され、これらが目等に付着することによる花粉症の発症をできる限り防止することができることになる。
【００４４】
またこの実施例２の花粉等遮蔽具は、眼鏡１１を利用するものであるため、どこでも違和感なく使用することができる。
【図面の簡単な説明】
【００４５】
【図１】(a)は実施例１の花粉等遮蔽具の一部切欠概略平面図、(b)は実施例１の花粉等遮蔽具に於ける送風部の拡大側面図。
【図２】(a)は実施例１の花粉等遮蔽具のサンバイザ及び空気膜形成部の拡大底面図、(b)は空気膜形成部の拡大底面部分図。
【図３】(a)は実施例１の花粉等遮蔽具の空気膜形成部の作用を示す説明図、(b)は実施例１の花粉等遮蔽具を装着した頭部付近を示す説明図。
【図４】実施例２の花粉等遮蔽具の一部切欠説明図。
【符号の説明】
【００４６】
１    サンバイザ（頭部装着部材）
１ａ  鍔部
１ｂ  頭周部
２    空気膜形成部
２ａ  支分管
２ｂ  連結柱
３    ビニールチューブ（送気管）
４    送風部（送風手段）
４ａ  係止片
４ｂ  電源スイッチ
１１  眼鏡（頭部装着部材）
１１ａ  レンズ
１２  空気膜形成部
１３  ビニールチューブ（送気管）
１４  送風部（送風手段）
ｈ    噴口
【図１】
0003110496.tif 000003
【図２】
0003110496.tif 000004
【図３】
0003110496.tif 000005
【図４】
0003110496.tif 000006